(57)【要約】      （修正有）【課題】同期回転ができより能率的な文書細断及びＣＤディスク細断用細断装置を提供する。【解決手段】上蓋の上部には、文書入れ口と、ＣＤディスク入れ口と、スウィッチとが設けられ、ベースの中には、それぞれ、モータと、減速機と、二つの刃具セットが設置され、モータは、複数のギアからなる減速機を連動させて、そして、刃具セットのギアを回転させ、当該ギアに接続されるロッドにより、当該刃具セットを回転させ、また、刃具セットの二つの円形である細断刃の外周に突出刃が設けられ、二つの細断刃は、互いに食い違いに形成され、もう一組の円柱形状のＣＤディスク刃具は、互いに合いつくように形成される刃具セットであり、刃具の表面には、浮彫りがあり、ＣＤディスクは、上蓋にあるＣＤディスク入れ口から入れられ、二つの刃具の間において、浮彫りにより、ＣＤディスクは、押されて破壊される。【選択図】図４
0003112790.tif 000002
【実用新案登録請求の範囲】
【請求項１】
上蓋と、ベースと、モータと、減速機と、二つの刃具セット部品とからなり、上蓋の上部には、文書入れ口と、ＣＤディスク入れ口と、スウィッチとが設けられ、ベースの中には、それぞれ、モータと、減速機と、二つの刃具セットが設置され、モータは、複数のギアからなる減速機を連動させて、そして、刃具セットのギアを回転させ、当該ギアに接続されるロッドにより、当該刃具セットを回転させ、また、刃具セットの二つの円形である細断刃の外周に突出刃が設けられ、二つの細断刃は、互いに食い違いに形成され、もう一組の円柱形状のＣＤディスク刃具は、互いに合いつくように形成される刃具セットであり、刃具の表面には、浮彫りがあり、ＣＤディスクは、上蓋にあるＣＤディスク入れ口から入れられ、二つの刃具の間において、浮彫りにより、ＣＤディスクは、押されて破壊され、その特徴として、ＣＤディスクを細断する刃具セットは、文書を細断する刃具セットの傍に位置し、二つの刃具セットは、ロッドにより接続され、これにより、減速機は、同時に二つの刃具セットを回転させることが出来る、ことを特徴とする、文書細断及びＣＤディスク細断用細断装置。
【請求項２】
二つの隣り合う刃具セットの刃具は、表面がエンボシングやストライプ或いは斜線のいずれかの一つで、細断機能や破壊機能を持つ刃具である、ことを特徴とする、請求項１に記載の文書細断及びＣＤディスク細断用細断装置。
【考案の詳細な説明】
【技術分野】
【０００１】
本考案は、文書細断及びＣＤディスク細断用細断装置に関し、特に、一列に位置する単独的に作動する文書細断刃具セットと単独的に作動するＣＤディスク細断刃具セットにより、文書細断及びＣＤディスク細断できる装置に関する。
【背景技術】
【０００２】
一般の、従来の文書細断機は、図１と２のように、文書細断槽１００と一組の刃具２００しかないため、文書を細断できるが、ＣＤディスクを細断することができなく、そのため、ある業者は、文書細断機にもう一つのＣＤディスク細断槽を増設し、二つの槽に同一の刃具が使われ、文書細断とＣＤディスク細断を両立するものを提案したが、一組の刃具が、異なる用途に利用されるため、刃具が容易に破損するから、文書細断機の耐用寿命が良くなくなる。
【０００３】
本考案者は、その問題点を解消すべきと思って、長年の業界経験を基づいて、慎重に研究し、そして、何度も試験して改良することにより、従来の製品の欠点を解消できる、より効率的な新規の文書細断及びＣＤディスク細断用細断装置を提案した。
【考案の開示】
【考案が解決しようとする課題】
【０００４】
本考案は、より実用的な文書細断及びＣＤディスク細断用細断装置を提供する。
【課題を解決するための手段】
【０００５】
本考案の主な目的は、一般の、従来の文書細断機の刃具セットの傍に、もう一つの単独的に作動する円柱形状の刃具セットを増設して、ベースの中に二組の細断刃及び二組の表面に浮彫りがある刃具が設置され、モータ及び減速機の連動により作動され、二組の異なる刃具セットにより、それぞれ、文書細断やＣＤディスク細断が行われ、また、単独的に作動する刃具セットにより、細断装置の耐用寿命が向上され、また、ＣＤディスクを細断する刃具セットは、文書を細断する刃具セットの傍に位置し、ロッドにより接続されることにより、同期回転できる文書細断及びＣＤディスク細断用細断装置を提供する。
【考案を実施するための最良の形態】
【０００６】
以下、図面を参照しながら、本考案について詳しく説明する。
本考案は、図３と図４のように、上蓋１と、ベース２と、モータ３と、減速機４と、二つの刃具セット５、６とからなり、
上蓋１の上部には、文書入れ口１１と、ＣＤディスク入れ口１２と、細断機スウィッチ１３とが設けられ（図３のように）、上蓋１の裏面には、集積回路板や電線及び各種の回路素子が固定され、ベース２の中には、モータ３や減速機４及び二つの刃具セット５、６等の部品が設置され、モータ３は、電線により、上蓋１にある集積回路板とスウィッチに接続され、また、モータ３により、減速機４が回転され、減速機４は、複数のギアからなる減速機構であり、モータ３の回転軸３１は、減速機４のギアセットに軸着され、図５と図７のように、減速機４のギアセットにおいて、モータ３の回転軸３１により、ギア４１が回転され、ギア４１と同軸である小ギア４２により、大ギア４３が回転され、大ギア４３と同軸である小ギア４４により、もう一つの大ギア４５が回転され、大ギア４５と同軸である刃具ギア４６により、刃具セット５の一組の刃具５１が回転され、当該刃具ギア４６により、もう一つの刃具ギア４７が回転され、当該刃具ギア４７により、更にもう一組の刃具５２が回転される。
【０００７】
図６のように、当該刃具セット５は、外周に突出刃５１１、５２１がある二つの円形状の細断刃５１、５２からなり、互いに食い違いに形成され、細断刃５１、５２の間隔には、ガイドシート５３が設けられ、文書Ａが上蓋１の上部にある文書入れ口１１から入れられ二つの細断刃５１、５２により細断され、その特徴は、図４のように、ＣＤディスクを細断する刃具セット６は、文書を細断する刃具セット５の傍に位置し、二つの刃具セット５、６のロッドが互いに接続されるため、減速機４に連動して、二つの刃具セット５、６が回転される。
【０００８】
図７のように、傍に位置する刃具セット６は、二組の円柱形状の刃具６１、６２が互に合い付くように形成され、当該刃具６１、６２の表面には、浮彫り（エンボシング）があり、ＣＤディスクＢは、上蓋１の上部にあるもう一つのＣＤディスク入れ口１２から入れられ、二つの刃具６１、６２の間において、ＣＤディスクＢは、押されて破壊される。
【０００９】
また、本考案において、二つの隣り合う刃具セット５、６の刃具は、表面がエンボシングやストライプ或いは斜線のいずれかの一つでも良く、細断機能や破壊機能を持つ刃具であれば、ユーザの必要に応じて選択することが出来る。
上記のように、本考案に係わる文書細断及びＣＤディスク細断用細断装置は、ベースの中に二つの隣り合う文書細断装置及びＣＤディスク細断装置が設置され、そして、ロッドにより接続され、二組の異なる装置に、それぞれ文書やＣＤディスクが入れられて、細断されることができるため、機密文書の漏らし等を防止できる実用性が歴然であり、また、本考案は、刊行物に披露されることがないため、実用新案に要件を満たし、故に、法に従って、実用新案登録請求を出願する。
【図面の簡単な説明】
【００１０】
【図１】従来の製品の外観図
【図２】従来の製品の構造図
【図３】本考案の外観図
【図４】本考案の一部の立体構造図
【図５】本考案の側面断面図（文書細断）
【図６】本考案に係わる刃具セット（文書細断）の断面概念図
【図７】本考案に係わる刃具セット（ＣＤディスク破壊）の断面概念図
【符号の説明】
【００１１】
(１)  上蓋
(１１)  文書入れ口
(１２)  ＣＤディスク入れ口
(１３)  スウィッチ
(２)  ベース
(３)  モータ
(３１)  回転軸
(４)  減速機
(４１)  ギア
(４２)  小ギア
(４３)  大ギア
(４４)  小ギア
(４５)  大ギア
(４６、４７)         刃具ギア
(５、６)  刃具セット
(５１、５２)  細断刃
(５１１、５２１)  突出刃
(５３)  ガイドシート
(６１、６２)         刃具
(１００)  文書細断槽
(２００)  刃具
(Ａ)  文書
(Ｂ)  ＣＤディスク
【図１】
0003112790.tif 000003
【図２】
0003112790.tif 000004
【図３】
0003112790.tif 000005
【図４】
0003112790.tif 000006
【図５】
0003112790.tif 000007
【図６】
0003112790.tif 000008
【図７】
0003112790.tif 000009